(57)【要約】【課題】使用時や保管時に線材部が壊れにくく、また、糸を通しやすくすることができる糸通し器を提供する。【解決手段】  線材を二つ折りに折り曲げた線材部と、内部に線材部を収納する収納部を有し、一端部に線材部を出し入れするための開口が設けられた収納体と、線材部の一方の端部が取り付けられると共に、収納体に対して、線材部を出し入れする方向に移動可能に配設された第１の操作部と、線材部の他方の端部が取り付けられると共に、収納体に対して、線材部を出し入れする方向に移動可能に配設され、かつ、第１の操作部よりも開口の側まで移動可能とされた第２の操作部とを備えている。【選択図】図３
2014180403.tif 000002
【特許請求の範囲】
【請求項１】
線材を二つ折りに折り曲げた線材部と、
内部に前記線材部を収納する収納部を有し、一端部に前記線材部を出し入れするための開口が設けられた収納体と、
前記線材部の一方の端部が取り付けられると共に、前記収納体に対して、前記線材部を出し入れする方向に移動可能に配設された第１の操作部と、
前記線材部の他方の端部が取り付けられると共に、前記収納体に対して、前記線材部を出し入れする方向に移動可能に配設され、かつ、前記第１の操作部よりも前記開口の側まで移動可能とされた第２の操作部と
を備えたことを特徴とする糸通し器。
【請求項２】
前記第１の操作部と前記第２の操作部とは、一部において、着脱可能に当接されており、前記第１の操作部を前記開口の方向に移動させる際には、前記第１の操作部が前記第２の操作部を押圧して、前記第２の操作部を前記開口の方向に移動させ、前記第２の操作部を前記開口から離間する方向に移動させる際には、前記第２の操作部が前記第１の操作部を押圧して、前記第１の操作部を前記開口から離間する方向に移動させることを特徴とする請求項１記載の糸通し器。
【請求項３】
前記線材部は、取り換え可能であることを特徴とする請求項１又は請求項２記載の糸通し器。
【請求項４】
前記収納部の外側面の少なくとも一部に、滑り止め部材が配設されたことを特徴とする請求項１から請求項３のいずれか１に記載の糸通し器。
【請求項５】
前記線部材は、折り曲げた位置から一方の端部までの長さより、他方の端部までの長さの方が長いことを特徴とする請求項１から請求項４のいずれか１に記載の糸通し器。
【発明の詳細な説明】
【技術分野】
【０００１】
本発明は、故障しがちな線材部に負担をかけることなく針穴に糸を通すことができる糸通し器に関する。
【背景技術】
【０００２】
従来、この種の糸通し装置としては、特許文献１〜４に記載されたものが知られている。特許文献１のスレダーでは、偏平な把持部と、この把持部から延び、先端に針穴に突入しうる屈曲部を有するループ状の糸導入部とを備える糸通し器であって、第１の端部と、第２の端部と、第１の端部と第２の端部間を一連一体につなぎ、長さ方向中央部に屈曲部が形成された細帯板状部とを備える板状部材を有し、上記板状部材のうち、上記第１の端部と第２の端部とが重なるようにして上記把持部内に保持されており、上記細帯板状部が上記把持部から露出して上記ループ状の糸導入部を形成していることを特徴としており、このため糸および糸導入部を針穴に詰まらせることなくスムーズに針穴から抜くことができ、かつ、把持部に対する糸導入部の取り付け状態を適切に維持することができる。
【０００３】
特許文献２のスレダー、及びスレダー用の線材では、糸案内用の中空枠部およびこの中空枠部の基端部からその外方へ延びる線状の延伸部を形成する線材と、この線材の延伸部を挟み付けて支持する挟持部が設けられているベース部材と、を具備する糸通し器で、上記線材の延伸部には、この延伸部を屈曲または湾曲させた曲げ部が設けられており、かつこの曲げ部が上記ベース部材の挟持部に係止されていることが特徴であって、これにより線材がベース部材から安易に抜け外れるといった不具合を防止する。
【０００４】
特許文献３のスレダーは、線材によって中空状に形成された線材部を具備している糸通し器であって、上記線材部の一側方には、上記線材部とは異なる色彩の背景板部が設けられていることを特徴としており、このことから、使用者は線材部の位置を明確に認識することが可能となり、この線材部を縫い針などの針の穴に通す作業が簡単となる効果が得られる。
【０００５】
特許文献４の針糸通し装置は、針挿入穴と、該針挿入穴に対して角度を持った糸挿入スリットとを有する針受部材と、針受部材に対して離反した位置と接近した位置との間で揺動可能となっており、離反した位置から接近した位置へと揺動するときに、上記針挿入穴に挿入された針の針穴に、上記糸挿入スリットに挿入された糸を押し出し可能な糸通しピンを有する、糸通し部材を備えた糸通し器であって、このことから、糸通し部材が揺動してそれに応じて糸通しピンが針に接近したときに、糸通しピンが針穴を通過することができない場合には、糸通しピンが糸通し部材の本体に対して付勢部材の付勢力に抗して揺動することができるために、糸通しピンに作用する力を緩衝させることができ、糸通しピンの破損を防ぐことができる。
【先行技術文献】
【特許文献】
【０００６】
【特許文献１】特開２００８−１７３２４２号公報
【特許文献２】特開平１０−２７２２７６号公報
【特許文献３】特開平１０−２３５０６３号公報
【特許文献４】特開２０１２−２５４１７５号公報
【発明の概要】
【発明が解決しようとする課題】
【０００７】
しかしながら、従来品は使用時や保管時に線材部が壊れやすく、また、小さいため使い難く、なくしやすいという問題があった。そのため不経済であり、それらを解決した製品は高価であるという問題もあった。
【０００８】
本発明は、このような問題に基づきなされたものであり、使用時や保管時に線材部が壊れにくく、また、糸を通しやすくすることができる糸通し器を提供することを目的とする。
【０００９】
なお、本発明の糸通し器は、特許文献１から４のものとは、構成が全くことなっている。
【課題を解決するための手段】
【００１０】
本発明の糸通し器は、線材を二つ折りに折り曲げた線材部と、内部に線材部を収納する収納部を有し、一端部に線材部を出し入れするための開口が設けられた収納体と、線材部の一方の端部が取り付けられると共に、収納体に対して、線材部を出し入れする方向に移動可能に配設された第１の操作部と、線材部の他方の端部が取り付けられると共に、収納体に対して、線材部を出し入れする方向に移動可能に配設され、かつ、第１の操作部よりも開口の側まで移動可能とされた第２の操作部とを備えたものである。
【００１１】
本発明の糸通し器では、例えば、第１の操作部を線材部が開口から出る方向に移動させる。次いで、線部材部の曲げられた部分を針の穴に通す。続いて、第２の操作部を更に開口側まで移動させると、線材部は大きく撓むので、糸が通り易くなる。糸を通した後、例えば、第２の操作部を戻し、針の穴から線材部を取り除くことにより、糸が針の穴を通る。最後に、第１の操作部および第２の操作部を開口から離れる方向に移動させることにより、線材部が収納体に収納される。
【発明の効果】
【００１２】
本発明の糸通し器によれば、収納部を設けると共に、第１の操作部および第２の操作部を設け、収納体に対して、線材部を収納する方向に移動可能とするようにしたので、線材部を容易に収納することができ、保管時等であっても、壊れてしまうことを防止することができる。また、第１の操作部および第２の操作部を、収納体に対して、線材部を出す方向に移動可能とすると共に、第１の操作部よりも第２の操作部を、開口の側まで移動可能とするようにしたので、収納体から、線材部を出すことができると共に、例えば、線材部の折り曲げ部分を針の穴に通したのち、第２の操作部を、更に開口の側まで移動するようにすれば、線材部の大きく撓ませることができる。よって、糸を容易に通すことができる。
【００１３】
また、第１の操作部と第２の操作部とを、一部において、着脱可能に当接するようにし、第１の操作部を開口の方向に移動させる際には、第１の操作部が第２の操作部を押圧して、第２の操作部を開口の方向に移動させ、第２の操作部を開口から離間する方向に移動させる際には、第２の操作部が第１の操作部を押圧して、第１の操作部を開口から離間する方向に移動させるようにすれば、線材部を収納体に容易に出し入れすることができると共に、線材部を撓ませることができる。
【００１４】
更に、線材部を取り換え可能とするようにすれば、線材部が傷んだ場合であっても、全体を買い替えしなくてもよく、安価にすることができる。
【００１５】
更にまた、収納部の外側面の少なくとも一部に、滑り止め部材を配設するようにすれば、手の力が弱い人や高齢の人でも簡単に使用することができる。
【００１６】
加えて、線部材の折り曲げた位置から一方の端部までの長さより、他方の端部までの長さの方を長くするようにすれば、より線材部を撓ませることができる。
【図面の簡単な説明】
【００１７】
【図１】本発明の一実施の形態に係る糸通し器の構成を正面図および側面図である。
【図２】図１に示した糸通し器の断面図である。
【図３】図１に示した糸通し器の使用態様を表す図である。
【発明を実施するための形態】
【００１８】
以下、本発明の実施の形態について、図面を参照して詳細に説明する。
【００１９】
図１は、本発明の一実施の形態に係る糸通し器１０の構成を表すものであり、（Ａ）は正面図であり、（Ｂ）は側面図である。また、図２（Ａ）は、糸通し器１０を正面から見た中心部を通る断面図であり、（Ｂ）は、糸通し器１０を側面から見た中心部を通る断面図である。糸通し器１０は、線材を二つ折に折り曲げた線材部１１と、この線材部１１を内部に収納する収納部１２Ａを有する収納体１２とを有している。
【００２０】
線材部１１は、例えば、ピアノ線により形成されており、線材部１１の折り曲げ部分１１Ａは、針の穴に貫通するものである。収納体１２は、例えば、直方体であり、一端には、線材部１１を収納体１２から出し入れするための開口１２Ｂが設けられている。
【００２１】
線材部１１の一方の端部１１Ｂは、第１の操作部１３に取り付けられており、この第１の操作部１３は、収納体１２に対して線材部１１を出し入れする方向に移動可能に配設されている。第１の操作部１３は、例えば、収納体１２の内部から、収納体１２の側面において上下方向に縦長に設けられた溝１２Ｃを介して、収納体１２の外部に突出するように設けられており、第１の操作部１３は、この溝１２Ｃに沿って移動することができるようになっている。
【００２２】
線材部１１の他方の端部１１Ｃは、第２の操作部１４に取り付けられており、この第２の操作部１４は、収納体１２に対して線材部１１を出し入れする方向に移動可能に配設されている。また、第２の操作部１４は、第１の操作部よりも開口１２Ｂの側まで移動可能となっている。第２の操作部１４は、例えば、収納体１２の内部から、収納体１２の側面において上下方向に縦長に設けられた溝１２Ｄを介して、収納体１２の外部に突出するように設けられており、第２の操作部１４は、この溝１２Ｄに沿って移動することができるようになっている。溝１２Ｄは、溝１２Ｃよりも開口１２Ｂ側まで設けられている。
【００２３】
第１の操作部１３および第２の操作部１４とは、例えば、収納体１２の内部の一部において、着脱可能に当接されている。例えば、第１の操作部１３の一部が第２の操作部１４の一部よりも下部において当接することにより、第１の操作部１３を開口１２Ｂの方向に移動させる際には、第１の操作部１３が第２の操作部１４を押圧して、第２の操作部１４を開口１２Ｂの方向に移動させ、第２の操作部１４を開口１２Ｂから離間する方向に移動させる際には、第２の操作部１４が第１の操作部１３を押圧して、第１の操作部１３を開口１２Ｂから離間する方向に移動させることができるようになっている。なお、第１の操作部１３と第２の操作部１４とは、それぞれ凹部あるいは凸部を設けるようにすれば好ましい。
【００２４】
収納部１２の外側面の少なくとも一部に、例えば、滑り止め部材１５が配設されている。第１の操作部１３あるいは第２の操作部１４を移動させる際に、手の力が弱い人や高齢の人でも簡単に使用することができる。
【００２５】
なお、収納体１２は、例えば、開閉可能とすることにより、線材部１１を取り換え可能とすることができることが好ましい。線材部が傷んだ場合であっても、全体を買い替えしなくてもよく、安価にすることができる。
【００２６】
糸通し器１０は、例えば、次のようにして使用することができる。
【００２７】
図３は、糸通し器１０の使用方法を説明するためのものである。まず、図３（Ａ）に示した状態の糸通し器１０の第１の操作部１３を、図３（Ｂ）に示すように開口１２Ｂに向かって移動させて、線材部１１を開口１２Ｂから外部に出す。その際、第１の操作部１３により、第２の操作部１４は押圧されて第１の操作部１３と共に開口１２Ｂに向かって移動する。次いで、図３（Ｃ）に示すように、線材部１１の折り曲げ部分１１Ａを針の穴通す。続いて、第２の操作部１４を更に開口１２Ｂの側まで移動させる。これにより、線材部１１の第２の操作部１４の側が大きく撓み、糸を通す部分が大きくなるので、糸を通し易くすることができる。なお、折り曲げ部分１１Ａから一方の端部１１Ｂまでの長さより、他方の端部１１Ｃまでの長さの方をより長くすることが好ましい。撓みの量を大きくすることができ、糸を通す部分をより大きくすることができるからである。次いで、糸を通した後、第２の操作部１４を第１の操作部１３と当接する位置まで戻し、針の穴から線材部１１を取り除くことにより、糸が針の穴を通る。最後に、第２の操作部１４を開口１２Ｂから離れる方向に移動させる。その際、第２の操作部１４により、第１の操作部１３は押圧されて第２の操作部１４と共に開口１２Ｂから離れる方向に移動する。これにより、線材部１１が収納体１２に収納される。なお、この糸通し器１０であり、縫い針や刺繍針に限らず、ミシンにセットされたミシン用針にも使用することができる。
【００２８】
本実施の形態の糸通し器１０によれば、収納部１２Ａを設けると共に、第１の操作部１３および第２の操作部１４を設け、収納体１２に対して、線材部１１を収納する方向に移動可能とするようにしたので、線材１１部を容易に収納することができ、保管時等であっても、壊れてしまうことを防止することができる。また、第１の操作部１３および第２の操作部１４を、収納体１２に対して、線材部１１を出す方向に移動可能とすると共に、第１の操作部１３よりも第２の操作部１４を、開口１２Ｂの側まで移動可能とするようにしたので、収納体１２から、線材部１１を出すことができると共に、例えば、線材部１１の折り曲げ部分１１Ａを針の穴に通したのち、第２の操作部１４を、更に開口１２Ｂの側まで移動するようにすれば、線材部１１の大きく撓ませることができる。よって、糸を容易に通すことができる。
【００２９】
また、第１の操作部１３と第２の操作部１４とを、一部において、着脱可能に当接するようにし、第１の操作部１３を開口１２Ｂの方向に移動させる際には、第１の操作部１３が第２の操作部１４を押圧して、第２の操作部１４を開口１２Ｂの方向に移動させ、第２の操作部１４を開口１２Ｂから離間する方向に移動させる際には、第２の操作部１４が第１の操作部１３を押圧して、第１の操作部１３を開口１２Ｂから離間する方向に移動させるようにすれば、線材部１１を収納体１２に容易に出し入れすることができると共に、線材部１１を撓ませることができる。
【００３０】
更に、線材部１１を取り換え可能とするようにすれば、線材部１１が傷んだ場合であっても、全体を買い替えしなくてもよく、安価にすることができる。
【００３１】
更にまた、収納部１２Ａの外側面の少なくとも一部に、滑り止め部材１５を配設するようにすれば、手の力が弱い人や高齢の人でも簡単に使用することができる。
【００３２】
加えて、線部材１１の折り曲げた部分１１Ａから一方の端部１１Ｂまでの長さより、他方の端部１１Ｃまでの長さの方を長くするようにすれば、より線材部１１を撓ませることができる。
【００３３】
以上、実施の形態を挙げて本発明を説明したが、本発明は上記実施の形態に限定されるものではなく、種々変形可能である。例えば、上記実施の形態で説明した収納体１２を直方体とする場合について説明したが、例えば、円柱等の形状とすることもできる。
【産業上の利用可能性】
【００３４】
糸通し器として用いることができる。
【符号の説明】
【００３５】
１０…糸通し器、１１…線材部、１１Ａ…折り曲げ部分、１１Ｂ，１１Ｃ…端部、１２…収納体、１２Ａ…収納部、１２Ｂ…開口、１２Ｃ，１２Ｄ…溝、１３…第１の操作部、１４…第２の操作部、１５…滑り止め部材
【図１】
2014180403.tif 000003
【図２】
2014180403.tif 000004
【図３】
2014180403.tif 000005